(57)【要約】      （修正有）【課題】全体の厚みを低減したペットの首に巻いてペットの首の動きを規制するペット用患部保護カラーを提供する。【解決手段】対象となるペットの首に巻きつけ、ペットの首周りの動きを規制する長尺のカラー本体１０と、当該カラー本体１０をペットの首に巻きつけた状態に保持固定する係止手段２０とからなる。カラー本体１０を、少なくともペットの首前面に位置する部分に関して、ペット側に設けられるクッション層１１と、クッション層１１の外側に設けられる、ペットの首に巻きつけた状態においてペットの首の曲がる方向に関してほとんど若しくは全く曲がらない規制層１２とからなる積層構造とする。【選択図】図２
0003169683.tif 000002
【実用新案登録請求の範囲】
【請求項１】
対象となるペットの首に巻きつけ、ペットの首周りの動きを規制する長尺のカラー本体と、当該カラー本体をペットの首に巻きつけた状態に保持固定する係止手段とからなる、ペットが傷口などの患部を舐めないようするためのペット用患部保護カラーであって、
前記カラー本体は、少なくともペットの首前面に位置する部分において、ペット側に設けられるクッション層と、クッション層の外側に設けられる、ペットの首に巻きつけた状態においてペットの首の曲がる方向に関してほとんど若しくは全く曲がらない規制層とからなる積層構造を有するものであるペット用患部保護カラー。
【請求項２】
前記規制層は、可撓性を有するとともに、ペットの首に巻きつけた状態においてペットの首の曲がる方向に関してほとんど曲がらない強度及び厚みを有する発泡合成樹脂からなる請求項１に記載のペット用患部保護カラー。
【請求項３】
前記規制層は、可撓性の無い厚みのある中実の固体からなるものである請求項１に記載のペット用患部保護カラー。
【考案の詳細な説明】
【技術分野】
【０００１】
本考案はペットが傷口などの患部を舐めないようするために、ペットの首に巻きつけて首の動きを規制するペット用患部保護カラーに関する。
【背景技術】
【０００２】
手術後の傷跡や、皮膚疾患部分をペットが舐めないようにするために、多くの場合エリザベスカラーが用いられている。エリザベスカラーは、漏斗状に開いたプラスチック製の器具でありこれをペットの首に固定することで、患部に口が届かないようにするものである。エリザベスカラーは、ペットの顔の側面まで覆うので、ペットの食事に支障が生じたり、歩行時にエリザベスカラーが壁や床にぶつかって音がしたりするために、ペットに大きなストレスを与えてしまうという問題がある。
これに対して、下記特許文献には、エリザベスカラーの代替品として柔らかい素材により形成される首に巻くカラーが示されている。これらは、ペットの顔の側面を覆うものではなく、また、壁などにぶつかっても音がしないので、従来のエリザベスカラーに比較してペットに与えるストレスを小さくすることができる。特に、特許文献１に記載の考案は、クッション性を有するが原形復帰力の強い保形材を、一定の厚み、幅に形成して、これをペットの首に巻くことでペットの首の動きを抑制するものであり、ペットの首回りからの張り出しが小さくて済むので、ペットの活動に対する支障が少ない。
【先行技術文献】
【特許文献】
【０００３】
【特許文献１】実用新案登録第３１５８２７１号公報
【特許文献２】意匠登録第１３１１９８６号公報
【特許文献３】特開２００６−２４６８７０号公報
【考案の概要】
【考案が解決しようとする課題】
【０００４】
しかしながら、上記特許文献１に記載の考案は、保形材をクッション性を有するとともに原型復帰力の強い素材を用いるために、ペットの首を十分に動かなくするためには、ある程度の厚みが必要となる。
本考案は、このような問題に鑑みて、ペットの首に巻いてペットの首の動きを規制するペット用患部保護カラーにおいて、厚みを低減させることを課題とする。
【課題を解決するための手段】
【０００５】
上記課題を解決するために、本考案は次のような構成を有する。
請求項１に記載の考案は、対象となるペットの首に巻きつけ、ペットの首周りの動きを規制する長尺のカラー本体と、当該カラー本体をペットの首に巻きつけた状態に保持固定する係止手段とからなる、ペットが傷口などの患部を舐めないようするためのペット用患部保護カラーであり、前記カラー本体を、少なくともペットの首前面に位置する部分において、ペット側に設けられるクッション層と、クッション層の外側に設けられる、ペットの首に巻きつけた状態においてペットの首の曲がる方向に関してほとんど若しくは全く曲がらない規制層とからなる積層構造としたものである。
請求項２に記載の考案は、前記ペット用患部保護カラーにおいて、前記規制層を、可撓性を有するとともに、ペットの首に巻きつけた状態においてペットの首の曲がる方向に関してほとんど曲がらない強度及び厚さを有する発泡合成樹脂としたものである。
請求項３に記載の考案は、前記ペット用患部保護カラーにおいて、前記規制層は、可撓性の無い、厚みのある中実の固体からなるものである。なお、ここでの厚みがあるとは、少なくとも５ｍｍ以上の厚さがあること意味するものとする。
【考案の効果】
【０００６】
請求項１に記載の考案は、カラー本体をペットに対する装着感を高めるためのクッション層と、ペットの首の動きを規制する規制層とを分離しているので、クッション層はペットに対する装着感を確保できる程度の厚みで足り、また、規制層はペットに対する装着感を考慮する必要がないため、クッション性を考慮することなくより硬質な素材を用いることができる。従って、積層体全体として薄くすることが可能となり、カラー本体の厚みを小さくすることができる。
請求項２に記載の考案は、規制層として適当な発泡合成樹脂を採用することで、ペットの首に巻いた状態において、内周側は圧縮されるとともに円弧状になることで首が曲がる方向に関してはほとんど曲がらないようにすることができ、かつ、外周側は比較的柔らかいままであるので、ペットの顎などが当たっても不快感を与えることがない。
請求項３に記載の考案は、規制層として厚みのある中実の固体を採用することで、首の動きをしっかりと規制できるととものに、厚みを設けることでペットが首を曲げたときにペットに当たる縁部の圧力を分散して圧迫感や痛みを感じにくくすることができる。
【図面の簡単な説明】
【０００７】
【図１】実施形態に係るペット用患部保護カラーの斜視図である。
【図２】図１におけるＡ−Ａ断面図である。
【図３】実施形態に係るペット用患部保護カラーの使用状態を示す図である。
【図４】（ａ）（ｂ）（ｃ）ともにペット用患部保護カラーの変形例を示す拡大断面図である。
【考案を実施するための形態】
【０００８】
以下、本考案の実施の形態について、図面を参照しながら説明する。
図１に本実施形態に係るペット用患部保護カラーXの斜視図を示し、図２に図１のＡ−Ａ断面図を示す。ペット用患部保護カラーＸは、心材とカバーとから構成されるカラー本体１０とカラー本体を巻いた状態に固定する係止部材２０とから構成される。
カラー本体１０を構成する心材は、２層構造をしており、長尺直方体状の柔らかい発泡合成樹脂からなるクッション層１１と、クッション層１１と略同じ幅及び長さを有する比較的硬い発泡合成樹脂からなる規制層１２とから構成される。クッション層１１を形成する発泡合成樹脂は、柔らかく反発力の弱いものが採用され、発泡ウレタンなどが用いられる。クッション層１１は、ペットに対する当たり具合が柔らかいものであれば、種々のものが採用でき厚手の不織布や綿などにより構成してもよい。
規制層１２を構成する合成樹脂は、可撓性があり比較的強度が強いものが採用され、密度の高い発泡ポリエチレンなどが用いられる。クッション層１１は、ペットに対する装着感を高めるものであるために適度な厚さがあれば足り、１０ｍｍ〜２０ｍｍ程度の厚さに設定される。規制層１２はペットの首に巻いたときに幅方向にほとんど折れ曲がらない程度の強度が必要となるので、１５ｍｍ〜３０ｍｍ程度の厚さに設定される。クッション層１１、規制層１２の長さ及び幅は、適用するペットの首の長さ及び太さに応じて適宜選択される。
【０００９】
カラー本体１０を構成するカバー１３は、通気性のよい布やメッシュシートにより形成されるものであって、心材の外表面に略合致する袋体により形成され、心材を包んでいる。
係止部材２０は、カラー本体１０をペットの首に巻きつけた状態に保持するものであり、ここでは、カバー１３の一端側に端部が固定される布テープ２３に設けられる面ファスナーの係合部２１と、カバー１３の他端側表面に固定される面ファスナーの被係合２２とから構成される。係合部材２０は、カラー本体を巻いた状態に保持できればよいので、面ファスナーに限られず、スナップボタンやワンタッチバックル等、カラー本体の端部同士を連結固定できるものであれば種々の構造が採用できる。
【００１０】
次に、以上のような構成を有するペット用患部保護カラーＸの使用方法について説明する。ペット用患部保護カラーＸは、使用するペットの大きさに応じて適宜サイズの異なるものが用意される。使用に際しては、図３に示すように、ペットの首前面にカラー本体１０の略中央部分を当てて、両端をペットの首の後ろ側に回し、係合部材２０の係合部２１と被係合部２２とを合わせることで、カラー本体１０をペットの首に巻いた状態で固定する。この状態で、ペットの首回りは柔らかく反発力の弱いクッション層１１がカバー１３を介して当たるので装着感がよく、また、カラー本体１０が装着されているペットの首部分においては、クッション層１１の回りに巻かれる規制層１２によりペットの首はほとんど曲がらないように規制することができる。また、規制層１２の外周面側は比較的柔らかくクッション性があるので、ペットの顎等が当たっても柔らかく受けることができる。
【００１１】
なお、上記実施形態では、規制層１２を可撓性のある、密度の高い発泡合成樹脂を用いたが、ペットの首に巻くことができ、ペットの首が曲がらないように規制するものであれば、種々の変形が可能である。例えば、図４（ａ）に示すように規制層１２Ａとして、厚手（５ｍｍ〜１０ｍｍ程度）のゴムシートを用いることができる。ゴムシートは中実の固体なので、巻いた状態において、より首が曲がる方向に対する強度が高く、薄いものにすることが可能である。また、ゴムシートは可撓性があるので、首に巻くことができるが、可撓性のない中実の固体を規制層１２に用いる方法として、規制層１２の長手方向に直角に複数のヒンジを設けることで首に巻けるようにしてもよい。一例を図４（ｂ）に示す。図４（ｂ）に示す規制層１２Ｂは、合成樹脂板に複数の断面V字状の切れ込みを設け、薄くなった部分が樹脂ヒンジを構成するよう形成したものである。さらに、可撓性のない中実の固体を規制層１２に用いる別の方法として首の前面側のみに規制層１２を設けるようにしてもよい。図４（ｃ）に例を示す。図４（ｃ）に示す規制層１２Cは、ペットの首前面の丸みに沿うような円弧状に形成された板体により構成される。このよう前方側のみに規制層１２Cを設ける場合、後方側がペットの首に巻けるような構成とすることで、規制層１２C部分をペットの首前面側に固定することができる。図４（ｂ）（ｃ）のように、撓まない材質のものを規制層１２Bとして使用すると、縦方向に対してほぼ曲がることがないので、より確実に首が曲がらないように規制することができる。なお、規制層１２Ｃを中実の固体とする場合は、鉄板などにより非常に薄いものでも構成できるが、薄い場合ペットの顎やペットの首のカラー本体１０が巻かれていない上方側などが当たると応力が集中して圧迫感や痛みを感じることがあるので、５ｍｍ以上の厚みを持たせることが望ましい。
また、上記実施形態では規制層１２を一層により形成しているが、例えば図４（ｄ）に示すように、発泡合成樹脂からなる層１２Ｄａにこれを補強するための可撓性のある合成樹脂板からなる層１２Ｄｂを重ねて規制層１２Ｄを構成するといったように、二層以上で規制層１２を形成するようにしてもよい。
さらに、規制層１２やクッション層１１には通気性をよくするために複数の穴を設けてもよい。
【符号の説明】
【００１２】
Ｘ  ペット用患部保護カラー
１０  カラー本体
１１  クッション層
１２、１２Ａ、１２Ｂ、１２、Ｃ、１２Ｄ  規制層
１３  カバー
２０  係止部材
【図１】
0003169683.tif 000003
【図２】
0003169683.tif 000004
【図３】
0003169683.tif 000005
【図４】
0003169683.tif 000006